(57)【要約】【課題】  蓋部を容易且つ迅速に開くことのできるキャリングケースの提供【解決手段】  筒状の胴部の表面に形成された開口を開閉する蓋部が、胴部の長手方向に沿って取付けた支点部を中心として開閉自在とされ、開口を形成する切込は、胴部の長手方向一方側と長手方向他方側とに亘る長手方向切込と、長手方向切込の一方側端から周方向に延びて支点部に向かう一方周方向切込と、長手方向切込の他方側端から周方向に延びて支点部に向かう他方周方向切込とを有し、開口の切込と蓋部の縁とをスライドファスナを介して着脱自在とし、蓋部を胴部の長手方向一方側から支点部を中心に開くと、蓋部の縁と開口の長手方向切込および他方周方向切込とを連繋するスライドファスナのエレメントどうしの噛合が順次解除されるよう構成されているキャリングケース。【選択図】  図８
2011048245.tif 000002
【特許請求の範囲】
【請求項１】
筒状の胴部と、該胴部の表面に形成された開口を開閉する蓋部とを備え、
該蓋部は前記胴部の長手方向に沿って取付けられた支点部を中心として開閉自在に設けられ、
前記開口を形成する切込は、胴部の長手方向一方側と長手方向他方側とに亘る長手方向切込と、該長手方向切込の一方側端から周方向に延びて前記支点部に向かう一方周方向切込と、前記長手方向切込の他方側端から周方向に延びて前記支点部に向かう他方周方向切込とを有し、
前記開口の切込と蓋部の縁とはスライドファスナを介して着脱自在とされ、蓋部を胴部の長手方向一方側から支点部を中心に開くと、蓋部の縁と開口の長手方向切込および他方周方向切込とを連繋するスライドファスナのエレメントどうしの噛合が順次解除されるよう構成されていることを特徴とするキャリングケース。
【請求項２】
長手方向切込は、胴部の長手方向一方側から長手方向他方側に向かって支点部側に傾斜していることを特徴とする請求項１記載のキャリングケース。
【請求項３】
長手方向切込と他方周方向切込とは、湾曲した湾曲切込を介して連続していることを特徴とする請求項１または請求項２記載のキャリングケース。
【請求項４】
スライドファスナは、長手方向切込から湾曲切込および他方周方向切込に至る領域と、該長手方向切込から湾曲切込および他方周方向切込に至る領域に対応した蓋部の縁とを連繋するよう設けられていることを特徴とする請求項３記載のキャリングケース。
【請求項５】
一方周方向切込は胴部の長手方向一方側端から胴部の長手方向他方側端に位置ずれして形成され、
蓋部は開口の形状に対応する蓋本体と、該蓋本体に一体的に形成されて蓋部を閉じた状態で胴部の長手方向一方側端から一方周方向切込の間の領域の外側に重なる操作部とを有し、
前記胴部における長手方向一方側端から一方周方向切込の間の領域と、前記操作部とが、面ファスナを介して着脱自在に設けられていることを特徴とする請求項１ないし請求項４の何れかに記載のキャリングケース。
【請求項６】
蓋部における操作部の長手方向一方側に把持部が設けられていることを特徴とする請求項５記載のキャリングケース。
【請求項７】
スライドファスナはそのテープ部が胴部の内外方向に立てられて、胴部と蓋部とが、互いに内外方向に位置ずれしていることを特徴とする請求項１ないし請求項６の何れかに記載のキャリングケース。
【発明の詳細な説明】
【技術分野】
【０００１】
本発明は、デジタルビデオカメラ等の電子機器を持運びするためのキャリングケースに関する。
【背景技術】
【０００２】
スライドファスナを開閉することでデジタルビデオカメラ等の電子機器を収容したり取出したりすることのできるキャリングケースとして、下記特許文献１に示す技術が提案されている。
これは、ケース本体の一部を開放した開放部に、一つのスライドファスナを介して、蓋部を開閉自在に設けた構成である。このスライドファスナはスライダを一方側、他方側の間で移動させて、蓋部を開閉するようになっている。
また、互いに離間して平行に配置した対のスライドファスナを設けて、対のスライドファスナを介して蓋部を開閉自在に設け、双方のスライドファスナを同時に操作可能なようにスライドファスナの把手を索体で連結し、該索体を操作して蓋部を開閉操作するキャリングケースも提案されている。
【先行技術文献】
【特許文献】
【０００３】
【特許文献１】特開２００８―２０９６２８号公報
【発明の概要】
【発明が解決しようとする課題】
【０００４】
上記従来のキャリングケースのうち、前者のキャリングケースでは、スライドファスナのスライダの移動距離が長い。
後者のキャリングケースでは、スライドファスナのスライダを同時に平行に移動させる必要がある。
【０００５】
デジタルビデオカメラ等の電子機器では、撮影チャンスを捉えて撮影することが少なからず行われるから、デジタルビデオカメラ等の電子機器をキャリングケースに収納する場合に比べて取出す場合、すなわち蓋部を開ける場合にその操作をし易いことが特に重要視される。
しかしながら、上記従来のキャリングケースのうち前者ではスライダの移動距離が長いため、撮影チャンスを逃すおそれがある。また後者のキャリングケースでは、スライドファスナのスライダを同時に平行に移動させなければならないが、この操作はやりにくく、やはり撮影チャンスを逃すおそれがあるという課題があった。
【０００６】
そこで本発明は上記課題に鑑み、蓋部を容易且つ迅速に開くことのできるキャリングケースの提供を目的とする。
【課題を解決するための手段】
【０００７】
本発明のキャリングケースは、筒状の胴部と、該胴部の表面に形成された開口を開閉する蓋部とを備え、該蓋部は前記胴部の長手方向に沿って取付けられた支点部を中心として開閉自在に設けられ、前記開口を形成する切込は、胴部の長手方向一方側と長手方向他方側とに亘る長手方向切込と、該長手方向切込の一方側端から周方向に延びて前記支点部に向かう一方周方向切込と、前記長手方向切込の他方側端から周方向に延びて前記支点部に向かう他方周方向切込とを有し、前記開口の切込と蓋部の縁とはスライドファスナを介して着脱自在とされ、蓋部を胴部の長手方向一方側から支点部を中心に開くと、蓋部の縁と開口の長手方向切込および他方周方向切込とを連繋するスライドファスナのエレメントどうしの噛合が順次解除されるよう構成されていることを特徴としている。
上記構成のように、蓋部を胴部の長手方向一方側から支点部を中心に開く動作に伴って、蓋部の縁と開口の長手方向切込および他方周方向切込を連繋するスライドファスナのエレメントどうしの噛合が順次解除されると、蓋部が容易且つ迅速に開かれる。
【０００８】
本発明のキャリングケースでは、長手方向切込は、胴部の長手方向一方側から長手方向他方側に向かって支点部側に傾斜していることを特徴としている。
上記構成のように、長手方向切込が傾斜していることによれば、蓋部を開こうとする力がスライドファスナのエレメントの噛合の解除のために直接的に及び易い。
【０００９】
本発明のキャリングケースでは、長手方向切込と他方周方向切込とは、湾曲した切込を介して連続していることを特徴としている。
上記構成によれば、湾曲した切込と蓋部とを連繋するスライドファスナのエレメントどうしが円滑に離脱されるから、スライドファスナ全体のエレメントどうしの離脱が円滑になる。
【００１０】
本発明のキャリングケースでは、スライドファスナは、長手方向切込から湾曲切込および他方周方向切込に至る領域と、該長手方向切込から湾曲切込および他方周方向切込に至る領域に対応した蓋部の縁とを連繋するよう設けられていることを特徴としている。
上記構成によれば、蓋部を開くと、開口の長手方向切込から湾曲切込および他方周方向切込に至る領域が開放される。
【００１１】
本発明のキャリングケースでは、一方周方向切込は胴部の長手方向一方側端から胴部の長手方向他方側端に位置ずれして形成され、蓋部は開口の形状に対応する蓋本体と、該蓋本体に一体的に形成されて蓋部を閉じた状態で胴部の長手方向一方側端から一方周方向切込の間の領域の外側に重なる操作部とを有し、前記胴部における長手方向一方側端から一方周方向切込の間の領域と、前記操作部とが、面ファスナを介して着脱自在に設けられていることを特徴としている。
上記構成において、面ファスナの係止力に抗して操作部を胴部から剥がし、蓋部を開きくと、開口の長手方向切込から湾曲切込および他方周方向切込に至る領域が開放される。
【００１２】
本発明のキャリングケースでは、蓋部における操作部の長手方向一方側に把持部が設けられていることを特徴としている。
この構成によれば、把持部を把持して蓋部を容易に開けることができる。
【００１３】
本発明のキャリングケースでは、スライドファスナはそのテープ部が胴部の内外方向に立てられて、胴部と蓋部とが、互いに内外方向に位置ずれしていることを特徴としている。
上記構成のように、スライドファスナのテープ部が胴部の内外方向に立てられていることにより、蓋部を開く力がスライドファスナのエレメントに直接的に及び易い。
【発明の効果】
【００１４】
本発明のキャリングケースでは、蓋部を胴部の長手方向一方側から支点部を中心に開く動作に伴って、蓋部の縁と開口の長手方向切込および他方周方向切込を連繋するスライドファスナのエレメントどうしの噛合が順次解除されるから、蓋部を容易に且つ迅速に開くことができる。
【図面の簡単な説明】
【００１５】
【図１】本発明の実施形態を示すキャリングケースの蓋部を閉じた状態の斜視図
【図２】同じく正面図
【図３】同じく背面図
【図４】同じく平面図
【図５】同じく底面図
【図６】同じく右側面図
【図７】同じく左側面図
【図８】同じく蓋部を開けた状態の一方側からの斜視図
【図９】同じく蓋部を開けた状態の正面図
【図１０】同じく蓋部を開けた状態の背面図
【発明を実施するための形態】
【００１６】
以下、本発明の実施形態に係るキャリングケースを、図面に基づいて説明する。このキャリングケース（以下単に「ケース」という）は、デジタルビデオカメラ等の電子機器を収納して携帯する際に便利な収容容器である。
図１は蓋部を閉じた状態のケースの斜視図、図２は正面図、図３は背面図、図４は平面図、図５は底面図、図６は右側面図、図７は左側面図である。
図８は蓋部を開けた状態の一方側からの斜視図、図９は蓋部を開けた状態の正面図、図１０は蓋部を開けた状態の背面図である。
【００１７】
ケース１は、ケース本体２全体が合成樹脂によって形成されている。合成樹脂としてこの場合、ネオプレン（登録商標）によって形成されており、ケース本体２の胴部３は、四隅を湾曲して形成した角筒状（筒状の一例）に形成されている。胴部３の左右開放部はそれぞれ右側壁４および左側壁５によって塞がれ、胴部３と右側壁４の固定隅部および胴部３と左側壁５の固定隅部のそれぞれは補強手段６によって補強されている。
【００１８】
補強手段６は、図示しない管部材を矩形枠形状に折曲げ、厚手生地を折曲げるようにして管部材を覆うことで構成されている。そして、厚手生地を折曲げた部分が露出するよう該生地を胴部３と右側壁４の合わせ部（固定部）に縫着することで胴部３と右側壁４、胴部３と左側壁５が補強された形態で固定されている。
このように構成されることで、ケース本体２は略角筒状を保持できるようになっている。
【００１９】
ケース本体２の胴部３は一部が切欠かれて開口７が形成されている。この開口７は、例えばデジタルビデオカメラをケース本体２内に収納、あるいは取出すために設けられている。ケース１には、開口７を開閉する蓋部８が設けられている。
【００２０】
開口７は、連続した第一切込１１、第二切込１２、第三切込１３、第四切込１４、および第五切込１５によって形成されている。
第一切込１１は一方周方向切込に相当する。第一切込１１は、胴部３の長手方向一方側に胴部３の周方向に沿って形成されている。より詳しくは、第一切込１１は、胴部３の周方向一方側端部が正面壁３Ａにあって、胴部３の周方向他方側端部が後壁３Ｃにある。
第一切込１１は、右側壁４（胴部の長手方向一方側端に相当する）から胴部３の長手方向他方側に所定距離だけ離間した位置に形成されている。
【００２１】
第二切込１２は長手方向切込に相当する。第二切込１２は、第一切込１１の周方向他方側端部から長手方向他方側に向けて、しかも周方向一方側（蓋部８の基部であり、支点部）に向けて緩やかに湾曲しつつ傾斜して形成されている。第二切込１２は、胴部３の正面壁３Ａに形成されている。
【００２２】
第三切込１３は湾曲切込に相当する。第三切込１３は、第二切込１２の長手方向他方側端部から胴部３の周方向一方側に向けて急峻に湾曲して形成されている。第三切込１３は、胴部３の正面壁３Ａと天壁３Ｂの間に亘るように形成されている。
【００２３】
第四切込１４は他方周方向切込に相当する。第四切込１４は、第三切込１３の周方向一方側端部からさらに周方向一方側に向かって形成されている。第四切込１４は、天壁３Ｂから後壁３Ｃに亘るよう形成されている。第四切込１４は、左側壁５から長手方向一方側に位置ずれして配置されている。
第五切込１５は、第一切込１１と第四切込１４の周方向一方側端部どうしに亘るように、後壁３Ｃに形成されている。
【００２４】
この構成により、第二切込１２の長手方向一方側端部から第四切込１４の周方向一方側端部（第五切込側端部）に至る経路を、長手方向に直交する面に投影すれば、該経路はケース本体２の胴部３表面に沿って胴部３の周方向に伸びている。
第一切込１１の周方向一方側端部と第四切込１４の周方向一方側端部とは、胴部３表面の周方向で略同一位置にあって、長手方向において離間している。
【００２５】
蓋部８は、開口７の形状に対応する（略合致する）蓋本体２０と、蓋本体２０に一体的に形成された操作部２１とを有して、一枚生地により開口面積よりも大きく形成されている。
蓋部８は、一本のスライドファスナ２２および一組の被係止部２７と係止部２８からなる面ファスナ２３を介して、ケース本体２の開口７を開閉自在とするよう構成されている。
蓋部８はその基部（支点部に相当する）２４が、胴部３の周方向位置において第五切込１５に合致する位置に縫着されて、該縫着部分を中心として開閉自在に設けられている。
【００２６】
操作部２１は、蓋本体２０の一方側に延長して形成されており、胴部３における右側壁４から第一切込１１までの間の一端側壁２５を、その外側で覆う（外側で重なる）よう構成されている。
操作部２１は、周方向他方側に延びる把持片２６（把持部に相当する）を一体的に有している。
一端側壁２５の表面に、面ファスナ２３の被係止部２７が貼着して固定され、操作部２１の裏面に、面ファスナ２３の係止部２８が貼着して固定されている。
被係止部２７は一端側壁２５の周方向略全域に亘って設けられており、係止部２８は被係止部２７に対応する領域に設けられている。
【００２７】
スライドファスナ２２は、その開口７側のテープ部３０が、第二切込１２、第三切込１３および第四切込１４の端部に縫着されている。スライドファスナ２２の蓋部８側のテープ部３１は、開口７側のテープ部３０に対応する蓋本体２０の縁に縫着されている。すなわち蓋部８において、基部２４および操作部２１を除く縁に縫着されている。
なお、開口７および蓋部８の周縁には補強用の当て生地３２が縫着されている。
【００２８】
上記のようにスライドファスナ２２は、開口７を形成する第二切込１２、第三切込１３および第四切込１４と、第二切込１２、第三切込１３および第四切込１４に対応する蓋本体２０の縁を連繋するよう設けられている。すなわち第一切込１１と操作部２１とはスライドファスナ２２によって連繋されない。このような状態では収納したデジタルビデオカメラ等の電子機器の保護が不充分であるため、一端側壁２５の表面と操作部２１の裏面とを面ファスナ２３で連繋して蓋部８を確実に閉じて、電子機器を保護しているのである。
【００２９】
スライドファスナ２２の何れのテープ部３０，３１も胴部３の表面に対して内外方向に立てられるように縫着されることで襠（まち）が設けられている。これによって、胴部３と蓋部８とは互いに内外方向に位置ずれしている。なお、この襠は必ずしもスライドファスナ２２全部に亘る必要はなく、スライドファスナ２２のうち、少なくとも正面壁３Ａ側（蓋部８を開き始める側）に存在するのが好ましい。
右側壁４の外側には、使用者が手指で把持できる把持帯３３が、その端部を胴部３と右側壁４の境界部分に縫着されて設けられている。
【００３０】
上記構成のケース１の使用方法を説明する。
図１は蓋部８が閉じられた状態であり、この状態でスライドファスナ２２は閉じられ、面ファスナ２３の被係止部２７と係止部２８とは係止している。
ケース１に収納されたデジタルビデオカメラをケース本体２内から取出すには、把持帯３３と右側壁４との間に複数本の手指を挿入して把持帯３３を把持し、別の手指で把持片２６を把持し（つまんで）、蓋部８を胴部３から周方向に剥がすようにして、基部２４回りに開く。
そうすると、面ファスナ２３の被係止部２７から係止部２８が剥がれつつ、スライドファスナ２２のエレメント２２ｂ，２２ｃどうしが、その長手方向一方側端部から噛合が解除される。
【００３１】
第二切込１２は正面壁３Ａに斜めに形成されており、第二切込１２の端部に縫着されているスライドファスナ２２のテープ部３０、および蓋本体２０の縁に縫着されているスライドファスナ２２のテープ部３１は、胴部３の内外方向で立てられている。
このため、蓋部８を胴部３から開ける力が、スライドファスナ２２のエレメント２２ｂ，２２ｃに及び易く、スライドファスナ２２のスライダ２２ａを使用者が直接的にスライドさせなくても、少ない力で蓋部８の開放を開始することができる。
【００３２】
また、上述したように、蓋部８を開くとき、把持帯３３と右側壁４との間に複数本の手指を挿入して把持帯３３を把持することが好ましい。
この場合、右側壁４と胴部３との縫着部分、左側壁５と胴部３との縫着部分には補強手段６が設けられているから、ケース本体２がネオプレンのような柔軟性のある合成樹脂から形成されていたとしても、蓋部８を開く際に働く力によってケース本体２が大きく歪んでしまうのを抑制でき、ケース本体２の形状が安定している。
したがって、蓋部８を胴部３から開こうとする力が、スライドファスナ２２のエレメント２２ｂ，２２ｃどうしの噛合を解除する方向に及び易く、スライドファスナ２２のスライダ２２ａを把持してスライドさせなくても、少ない力で蓋部８の開放を開始することができる。
【００３３】
使用者はさらに蓋部８を基部２４回りに周方向に開くと、スライドファスナ２２のエレメント２２ｂ，２２ｃどうしの噛合が順次外れ、蓋部８は正面壁３Ａから天壁３Ｂに亘って開かれ、蓋部８をさらに周方向に開くと、開口７は正面壁３Ａ、天壁３Ｂ、後壁３Ｃに亘って広がり、大きく開かれる。
【００３４】
以上の説明は、胴部３に対する蓋部８の動きをスライドファスナ２２のエレメント２２ｂ，２２ｃどうしの噛合が外れる状態を順を追って説明しているが、実際に蓋部８を開くときには、使用者が把持片２６を把持して蓋部８を周方向に開くようにすれば、極めて短時間で開口７を大きく開くことができる。
つまり、ケース１に収納されているデジタルビデオカメラを短時間で取出すことができるから、撮影チャンスを逃すことも少なくなる。
【００３５】
なお、蓋部８を閉じる場合は、スライドファスナ２２のスライダ２２ａを使用者が直接的にスライドさせて行う。また、撮影チャンスを狙う場合でないようならば、使用者がスライダ２２ａを直接操作してスライドファスナ２２を開けて、開口７からデジタルビデオカメラを取出しこともできる。
【００３６】
本発明のケース１では、より携帯性を良好にするために、肩掛け紐を取付けるようにすることも好ましい。
上記実施形態では、ケース本体２を略角筒状に形成した場合で説明したが、これに限定されるものではなく、例えば円筒状に形成することも考えられる。
上記実施形態では、第二切込１２を長手方向に対して傾斜させて形成したが、長手方向に沿うように形成することもできる。この場合でも、上記実施形態と同様に、円滑且つ迅速に蓋部８を開くことができる。
【符号の説明】
【００３７】
１…ケース、２…ケース本体、３…胴部、３Ａ…正面壁、３Ｂ…天壁、３Ｃ…後壁、４…右側壁、５…左側壁、６…補強手段、７…開口、８…蓋部、１１…第一切込、１２…第二切込、１３…第三切込、１４…第四切込、１５…第五切込、２０…蓋本体、２１…操作部、２２…スライドファスナ、２２ａ…スライダ、２３…面ファスナ、２４…基部、２５…一端側壁、２６…把持片、２７…被係止部、２８…係止部、３０，３１…テープ部、３３…把持帯
【図１】
2011048245.tif 000003
【図２】
2011048245.tif 000004
【図３】
2011048245.tif 000005
【図４】
2011048245.tif 000006
【図５】
2011048245.tif 000007
【図６】
2011048245.tif 000008
【図７】
2011048245.tif 000009
【図８】
2011048245.tif 000010
【図９】
2011048245.tif 000011
【図１０】
2011048245.tif 000012